(57)【要約】  生体の身体部分に留置するためにセットアップされた外側のチューブ状の本体を有する穿刺システムにおいて、穿刺システムは少なくとも１つの内側のチューブ状の本体と穿刺ニードルとを有しており、内側のチューブ状の本体は外側のチューブ状の本体の作業ルーメンに挿通されるとともに外側のチューブ状の本体に対して長手方向スライド可能であり、穿刺ニードルは内側のチューブ状の本体の穿刺ルーメンに挿通されており、内側のチューブ状の本体は穿刺ニードルに対して長手方向スライド可能であり、穿刺システムの患者近傍の端部から突出する穿刺ニードルの穿刺区域によって身体部分の穿刺が行われた後に内側のチューブ状の本体がカテーテルの患者近傍の端部から少なくとも部分的に外側のチューブ状の本体から引き出し可能であるとともに、その際にカテーテルの患者近傍の端部から突出する穿刺ニードルの穿刺区域を少なくとも部分的に内側のチューブ状の本体の穿刺ルーメンの中に収容するように構成されていることを特徴とする。
2018528040.tif 000002
【特許請求の範囲】
【請求項１】
生体の身体部分に留置するためにセットアップされた外側のチューブ状の本体（２）を有する穿刺システム（１）において、前記穿刺システム（１）は少なくとも１つの内側のチューブ状の本体（４）と穿刺ニードル（５）とを有しており、前記内側のチューブ状の本体（４）は前記外側のチューブ状の本体（２）の作業ルーメン（３）に挿通されるとともに前記外側のチューブ状の本体（２）に対して長手方向スライド可能であり、前記穿刺ニードル（５）は前記内側のチューブ状の本体（４）の穿刺ルーメンに挿通されており、前記内側のチューブ状の本体（４）は前記穿刺ニードル（５）に対して長手方向スライド可能であり、前記穿刺システム（１）の患者近傍の端部（１０）から突出する前記穿刺ニードル（５）の穿刺区域（５０）によって身体部分の穿刺が行われた後に前記内側のチューブ状の本体（４）が前記穿刺システム（１）の患者近傍の端部（１０）から少なくとも部分的に前記外側のチューブ状の本体（２）から引き出し可能であるとともに、その際に前記穿刺システム（１）の患者近傍の端部（１０）から突出する前記穿刺ニードル（５）の穿刺区域（５０）を少なくとも部分的に前記内側のチューブ状の本体（４）の前記穿刺ルーメンの中に収容するように構成されていることを特徴とする穿刺システム。
【請求項２】
前記内側のチューブ状の本体（４）に対する前記外側のチューブ状の本体（２）の長手方向スライドと、前記穿刺ニードル（５）に対する前記内側のチューブ状の本体（４）の長手方向スライドはそれぞれ互いに独立して操作手段（４０，４１，５１，７）を通じて前記穿刺システム（１）の患者遠方の端部（１１）から制御可能であることを特徴とする、請求項１に記載の穿刺システム。
【請求項３】
前記穿刺システム（１）は拡張カニューレを有していないことを特徴とする、請求項１または２に記載の穿刺システム。
【請求項４】
前記外側のチューブ状の本体（２）を身体部分へ挿入するために前記穿刺システム（１）は患者近傍の端部（１０）にランプ状に拡大していく拡張本体（２１）を有していて、これに前記内側のチューブ状の本体（４）が挿通されていることを特徴とする、請求項１から３のいずれか１項に記載の穿刺システム。
【請求項５】
前記拡張本体（２１）は前記内側のチューブ状の本体（４）に対して長手方向スライド可能であることを特徴とする、請求項４に記載の穿刺システム。
【請求項６】
前記拡張本体（２１）は前記外側のチューブ状の本体（２）に取り付けられており、または前記外側のチューブ状の本体（２）の一部であることを特徴とする、請求項４または５に記載の穿刺システム。
【請求項７】
前記外側のチューブ状の本体（２）は少なくとも身体の外部で第１の被覆部（２２）によって取り囲まれており、該第１の被覆部によって前記外側のチューブ状の本体（２）が身体部分の外部で滅菌されたまま保たれることを特徴とする、請求項１から６のいずれか１項に記載の穿刺システム。
【請求項８】
前記内側のチューブ状の本体（４）の外径は前記穿刺ニードル（５）の外径の最大２倍の大きさであることを特徴とする、請求項１から７のいずれか１項に記載の穿刺システム。
【請求項９】
前記外側のチューブ状の本体（２）の外径は前記内側のチューブ状の本体（４）の外径の少なくとも２倍の大きさであることを特徴とする、請求項１から８のいずれか１項に記載の穿刺システム。
【請求項１０】
前記穿刺システム（１）、特にその前記穿刺ニードル（５）および／またはその前記内側のチューブ状の本体（４）は患者遠方の端部（１１）に吸引補助具（７）または該吸引補助具（７）を接続するための吸引接続部（５１）を有していることを特徴とする、請求項１から９のいずれか１項に記載の穿刺システム。
【請求項１１】
前記外側のチューブ状の本体（２）はマルチルーメン式に構成されており、個々のルーメンを取り外し可能および／または補足可能であることを特徴とする、請求項１から１０のいずれか１項に記載の穿刺システム。
【請求項１２】
前記内側のチューブ状の本体（４）はプラスチック材料でできていることを特徴とする、請求項１から１１のいずれか１項に記載の穿刺システム。
【請求項１３】
前記内側のチューブ状の本体（４）は前記外側のチューブ状の本体（２）よりも長く、および／または前記穿刺ニードル（５）は前記内側のチューブ状の本体（４）よりも長いことを特徴とする、請求項１から１２のいずれか１項に記載の穿刺システム。
【発明の詳細な説明】
【技術分野】
【０００１】
本発明は、生体の身体部分に留置するためにセットアップされた外側のチューブ状の本体を備える、たとえば血管内に留置するためにセットアップされたカテーテルホースを備える、中心静脈カテーテルを有する穿刺システムに関する。
【０００２】
さらに本発明は、処置方法が特許権保護の対象となる管轄の観点から、特にたとえば中心静脈カテーテルなどの本発明による穿刺システムを利用して、穿刺システムを、たとえば中心静脈カテーテルを適用する改良された方法に関する。
【背景技術】
【０００３】
中心静脈カテーテルは、中心の静脈カテーテル、中心静脈内カテーテル、もしくは中心静脈アクセスとも呼ばれ、または略してＣＶＣと呼ばれる。
【０００４】
中心静脈カテーテル法の実施は、もっとも頻繁に行われる医師の措置の１つである。
ＣＶＣは、比較的大きく穿刺可能な、心臓のすぐ近傍ではないいわゆる「末梢静脈」へ挿入され、その先端が心臓近傍で「中心静脈」にくるカテーテルである。これを通じて液体や血液製剤を注入できるだけでなく、薬剤を注入することもできる。さらに血液試料を採取し、静脈圧を測定することができる。中心静脈カテーテルは、合併症なしに経過していれば、何週間も患者内にとどめておくことができる。
【０００５】
中心静脈カテーテルの適用は、病院内の救急医療、麻酔科、および集中医療におけるルーチン方法となっている。あるいはそれ以外の臨床分野でも利用されており、それはたとえば腫瘍学で化学療法薬を投与するためや、集中医療でたとえば胃腸手術の後に高カロリーの非経口の栄養補給をするためである。
【０００６】
中心静脈カテーテルを通じて、循環を安定化する薬剤やその他の物質を心臓近傍で投与することができ、その場所で薬剤が直接有効となる。電解溶液や栄養補給液などの強力に濃縮された輸液は、しばしば中心静脈カテーテルを通じてしか処置することができない。これらは小さな静脈（たとえば手の甲や腕の静脈）をあまりに強力に刺激して、そのために炎症や血栓を生じることになるからである。
【０００７】
通常の場合には中心静脈カテーテルは、静脈へ挿入される共通の１つのカテーテルホースとして患者に向かって合流する、１つから５つのいわゆる「内腔」（ルーメン）を患者遠方に有している。カテーテルホースはたとえばポリウレタンなどの身体適合的な材料でできていて、そのような材料が熱可塑性の特性をこれに与える。すなわちカテーテルホースは体温まで温められると軟質になる。皮膚レベルからのカテーテルホースの挿入深さは、成人患者の場合には約１５〜２０ｃｍであり、これは選択されるアクセス経路や、身長、体重などの患者固有の要因に左右される。
【０００８】
ＣＶＣは多くの場合、１９５３年に記載されたセルディンガーワイヤを用いるセルディンガー技術によって身体へ挿入される。この技術はいくつかの欠点を有する。複数のシーケンシャルな作業ステップの必要性、および滅菌された作業区画の必要性に基づき、患者と適用者にとっての損傷と感染の危険性がある。セルディンガーワイヤが心臓を傷つけて心臓リズム障害を引き起こすことがあり、さらには偶発的に患者に残存することがある。身体内でのその長さが不明瞭になり得る。通りわけセルディンガー技術は実施に関して複雑であり、高いコストと結びついている。したがって、臨床外や非常に狭いスペース状況でのこの方法の適用はほぼ不可能である。これまでに存在しているセルディンガーワイヤなしでの直接穿刺技術は、限定された直径でしか挿入可能でないカテーテルホースに基づき、幅広い臨床上の用途で普及することができていない。
【発明の概要】
【０００９】
したがって本発明の課題は、いっそう簡単かつ迅速に患者で適用することができる穿刺システム、たとえば中心静脈カテーテルを提供することにある。
【００１０】
さらに、処置方法が特許権保護の対象となる管轄の観点から、本発明の課題は、穿刺システムを、たとえば中心静脈カテーテルを適用する改良された方法を提供することにある。
【００１１】
上に掲げた課題は、静脈内に留置するためにセットアップされたカテーテルホースを備える中心静脈カテーテルによって解決され、カテーテルは少なくとも１つのカニューレと穿刺ニードルとを有しており、カニューレはカテーテルホースの作業ルーメンに挿通されるとともにカテーテルホースに対して長手方向スライド可能であり、穿刺ニードルはカニューレの穿刺ルーメンに挿通されており、カニューレは穿刺ニードルに対して長手方向スライド可能であり、カテーテルの患者近傍の端部から突出する穿刺ニードルの穿刺区域によって静脈の穿刺が行われた後にカニューレがカテーテルの患者近傍の端部から少なくとも部分的にカテーテルホースから引き出し可能であるとともに、その際にカテーテルの患者近傍の端部から突出する穿刺ニードルの穿刺区域を少なくとも部分的にカニューレの穿刺ルーメンの中に収容するように構成されている。
【００１２】
本発明は、公知の解決法よりもはるかに簡単かつ迅速に、中心静脈カテーテルを患者に適用することができるという利点を有する。その際に、セルディンガーワイヤおよびこれと結びついた比較的時間コストのかかる各ステップを全面的に省略することができる。このとき本発明は、セルディンガー技術の十分に好ましい基本的原理を援用しているが、これをさらに発展させて、患者にとってのリスクが最低限に抑えられるようになっている。カテーテルが、内側に配置された穿刺ニードル、その周囲の外側に配置されたカテーテルホース、およびこれらの中間に位置するカニューレの形態の層を含むマルチシェル構造を有しており、個々の層である穿刺ニードル／カニューレ／カテーテルホースまたはその作業容積部が原則として任意に相互に長手方向スライド可能であることにより、中心静脈カテーテルを適用するまったく新規の技術が可能となる。ここではカニューレは、穿刺ニードルの穿刺区域によって静脈が相応に穿刺された後に、こうして形成された静脈の開口部へ差し込むことができる。このときカニューレが、穿刺ニードルの先端による損傷に対する静脈の保護をすでに惹起する。さらにカニューレはその後、この状態のときに従来のセルディンガーワイヤに類似する機能を有するので、静脈へのカテーテルホースの挿入補助として機能する。しかしセルディンガーワイヤとは異なり、カニューレはその長さに関して常にコントロールすることができ、所望の時点で取り外すこともできる。同様に穿刺ニードルも所望の時点で引き戻すことができ、もしくは全面的に取り出すことができる。
【００１３】
本発明のさらに別の利点は、従来では複数の末梢静脈への静脈アクセス部がつくられていたケースで、本発明に基づく中心静脈カテーテルによって単一のアクセス部とすることが可能であり、それで十分であることにある。従来技術に基づく中心静脈カテーテルの適用と結びつている合併症に基づき、これまでは少なからぬケースで中心静脈カテーテルに代えて、複数の末梢静脈への静脈アクセス部が適用されてきた。そのような不都合な状況も、ここで説明している本発明によって改善することができる。それによって感染の危険性を低減することができる。１つの中心静脈のアクセス部しか必要なくなるので、これまでの高いコストのかかる複数の静脈アクセス部のケアが簡略化される。薬剤投与時の明瞭性およびそれに伴う患者安全性も向上する。
【００１４】
本発明に基づく中心静脈カテーテルは、たとえばさまざまな身長の人間用として（大人／子供）、さまざまなサイズで提供することができる。
【００１５】
さらに、先ほど中心静脈カテーテルの例を引いて説明した穿刺システムは、身体部分への穿刺のために別様に好ましく適用することもできることが確認されている。穿刺システムまたは中心静脈カテーテルの上述した部分は先ほど説明したままであるが、適用ケースに応じて、特にその長さおよび場合により直径に関して適合化することができる。
【００１６】
それに応じて冒頭に掲げた課題は、請求項１に記載の全般的な穿刺システムによっても解決される。先ほど説明した中心静脈カテーテル（または一般にカテーテル）の適用事例と比較して、この穿刺システムは、カテーテルホースに代えて、剛直または柔軟であってよい外側のチューブ状の本体をたとえば管やホースの形態で有している。さらにこの穿刺システムは、カニューレに代えて内側のチューブ状の本体を有している。これはカニューレとして構成されていてもよいが、このことは強制的ではない。このような穿刺システムにより、中心静脈カテーテルと比較したとき、静脈を穿刺できるだけでなく、原則として生体のどのような身体部分でも穿刺することができる。
【００１７】
それに応じて生体の穿刺されるべき身体部分として、たとえば膀胱、各種の気管や血管、特に静脈や動脈など、どのような中空体でも穿刺システムによって好ましく穿刺することができる。さらに、たとえば器官、たとえば膿瘍のような液体蓄積部などの非中空体も好ましく穿刺することができる。器官間腔も好ましく穿刺することができる。
【００１８】
このようにして穿刺システムにより、次のような利用分野をカバーすることができる。脈管学、心臓学、胸膜間腔の穿刺（液体、空気）、泌尿器学、（インターベンショナル）ラジオロジー、気管切開術、開頭術、心臓補助システムの移植。
【００１９】
このとき、穿刺システムまたは少なくとも外側のチューブ用の本体が透明であると好ましい。このことは、特に穿刺システムに流れ込む液体の色や流速によって、穿刺プロセスの状態の改善された判断可能性を可能にする。
【００２０】
この意味において、中心静脈カテーテル（または単にカテーテル）の例に準拠する以下の説明は、そこに記載されている用途や機能ならびに技術的な構成要件を、一般的な意味の穿刺システムによっても具体化できるという意味にも理解されるべきである。この意味において、以下の説明は穿刺システム一般にも関連づけられ、したがって、以下においてはカテーテルホースによって一般に外側のチューブ状の本体も意味され、カニューレによって内側のチューブ状の本体も意味され、静脈によって、先ほど説明した生体の穿刺されるべき身体部分も意味される。
【００２１】
本発明による穿刺システムは、セルディンガーワイヤとの組合せで利用することもできる。このようなケースでは、長さに関して従来型のセルディンガーワイヤと同様に、またはこれよりも短いバージョンで構成されていてよい中空のセルディンガーワイヤが利用されると好ましい。中空のセルディンガーワイヤとしての構成により、血液、液体、空気の吸引を可能にすることが可能となり、そのようにして、穿刺通路が拡張される前に、中空のセルディンガーワイヤの位置を目標構造物の領域で検証することができる。さらに緊急事態では、挿入されているセルディンガーワイヤを通じて、穿刺システムの他の部材が挿入される前に薬剤をすでに注入することができ、このことは重要な時間節約を可能にする。中空のセルディンガーワイヤは近位に向かって、すなわち利用者に向かって、場合によりすでに注射器に存在するアダプタを介して、たとえば注射器などの吸引補助具と適合的であってよい。このことは、まず中空のセルディンガーワイヤを通じての自然な還流を期待することができ（たとえば動脈を誤穿刺した場合には拍動性）、次いで、吸引補助具を嵌め込むことができるという利点がある。中空のセルディンガーワイヤを挿入する前に、まず穿刺ニードルがワイヤを通じて引き戻される。
【００２２】
本発明による穿刺システム、および特にその外側のチューブ状の本体は、生体の身体部分に留置するためにセットアップされている。「留置する」とみなされるのは、ここではたとえばＣＶＣで該当するような通常の医療上の意味での留置であり、すなわち、数日または数週間または数ヵ月の範囲内の留置である。このとき穿刺システムおよび特にその外側のチューブ状の本体は、利用者によって位置に関して保持されなくてもよく、留置の際に人間の身体を傷つけることがないという意味で留置をするためにもセットアップされる。そのために外側のチューブ状の本体は、たとえば熱可塑性で角がなくせん断可能でない材料から構成される。それに応じて外側のチューブ状の本体は、ホースまたは小管として構成されていてよい。外側のチューブ状の本体が生体の身体部分に穿刺システムによって取り付けられた後、内側のチューブ状の本体ならびに穿刺ニードルが外側のチューブ状の本体から完全に取り外され、その結果、身体部分での留置の段階中には外側のチューブ状の本体だけがそこに留置される。外側のチューブ状の本体、内側のチューブ状の本体、および穿刺ニードルの間で好都合に選択される直径比率に基づき、生体の身体部分への穿刺システムの取り付けが、特に皮膚切開なしに非常に容易に可能である。
【００２３】
穿刺システムおよび特にその外側のチューブ状の本体を生体の身体部分に、たとえば皮膚に固定するために、たとえば石膏による接着や皮膚への縫付けを行うことができる。本発明の１つの好ましい発展例では、穿刺システムはクリック・クリップ・メカニズムを皮膚への固定のために有している。傷口を閉じるためのステープルに類似するように構成されていてよいこのようなクリック・クリップ・メカニズムにより、手作業での操作によって、たとえば上から指で押さえることによって、固定ステープルを皮膚に穿孔することができ、それにより穿刺システムが皮膚に固定される。そのようにして、時間コストのかかる穿刺システムの縫合を省略することができる。
【００２４】
さらに、処置方法が特許権保護の対象となる管轄の観点から、冒頭に掲げた課題は、患者に中心静脈カテーテルを、特に上で説明した種類のカテーテルを適用する方法であって、次の各ステップを有するものによって解決される。
【００２５】
ａ）カテーテルの患者近傍の端部から突出する穿刺ニードルの穿刺区域によって患者の静脈が穿刺され、
ｂ）穿刺ニードルが静脈内で正しく配置されたときに静脈へ、すなわち穿刺ニードルの穿刺区域を介してカニューレが押し出され、
ｃ）静脈内に配置されたカニューレを介してカテーテルホースが押し出され、それによりカテーテルホースも静脈へ挿入される。
【００２６】
穿刺ニードルは、静脈へのカテーテルホースの挿入の前または後に引き戻すことができ、または取り外すことができる。特に、場合により生じる損傷の危険をいっそう最低限に抑えるために、静脈へのカテーテルホースの挿入前の穿刺ニードルの取り外しが好ましい。最終的にカニューレも、それが患者遠方の端部でカテーテルホースから引き出されることによって、取り外すことができる。同様の仕方で穿刺ニードルを取り外すことができる。
【００２７】
ここではさしあたり主要なステップだけを挙げている。実践において有意義かつ必要なその他のステップ、たとえば穿刺ニードルの位置をコントロールするための静脈血の吸引、カテーテルの各コンポーネントの固定なども、同じく実行することができる。さらなる詳細を含む中心静脈カテーテルの適用の一例としてのプロセスは、以下において、実施例の説明の枠内でさらに記載する。
【００２８】
本発明の１つの好ましい発展例では、カニューレに対するカテーテルホースの長手方向スライドと、穿刺ニードルに対するカニューレの長手方向スライドは、それぞれ互いに独立して、カテーテルの患者遠方の端部から操作手段を通じて制御可能である。それにより、先ほど言及したカテーテルを適用する革新的な技術がいっそう促進される。穿刺ニードルの長手方向スライドのための操作手段としては、たとえば患者遠方の端部で穿刺ニードルと結合される注射器が役目を果たすことができる。カニューレの操作手段としては、たとえばカテーテルの患者遠方の端部でカニューレと結合される固定フラッグが役目を果たすことができる。
【００２９】
本発明の好ましい発展例では、カテーテルは拡張カニューレを有していない。このことは、カテーテルが簡素に少ないコンポーネントで構成されていてよく、それに応じて容易に取り扱えるという利点がある。特に、拡張カニューレの別途の操作が必要ない。
【００３０】
本発明の好ましい発展例では、カテーテルは患者近傍の端部で静脈へカテーテルホースを挿入するために、ランプ状に拡大していく拡張本体を有していて、これにカニューレが挿通される。このことは、静脈へのカテーテルホースの挿入のために必要な拡張を簡単な仕方で実行できるという利点があり、それは、拡張本体がまずカニューレを介して、そのような仕方で形成される本体開口部へ差し込まれることによる。そのために拡張本体が、カニューレに対して長手方向スライド可能に構成されるのが好ましい。このとき拡張本体は、カテーテルホースが押し出されるときの力付勢により、カテーテルホースによってカニューレに対して押し出すことができる。本発明の好ましい発展例では、拡張本体はカテーテルホースに取り付けられているか、またはカテーテルホースの一部である。拡張本体とカテーテルホースとの間のこのような固定的な結合により、拡張本体の位置も常時コントロールすることができる。たとえば拡張本体は、カテーテルホースの患者近傍の端部にランプ状に構成されているカテーテルホースの領域として構成されていてよい。
【００３１】
ランプ状に拡大していく拡張本体の部分は、線形または非線形にランプ状に拡大していくように構成されていてよい。さらに、拡張本体が摩擦抵抗の少ない材料、すなわち特別に摺動性の材料で構成されているか、または少なくともそのような材料でコーティングされていると好ましい。それによっても、皮膚を通して押し出すときの、およびそれに伴う拡張プロセスのときの摩擦抵抗を最低限に抑えることができる。
【００３２】
前述した通り、穿刺システムの患者近傍の端部から突出する穿刺ニードルの穿刺区域によって身体部分の穿刺が行われた後、内側のチューブ状の本体を穿刺システムの患者近傍の端部から少なくとも部分的に外側のチューブ状の本体から引き出し可能である。したがって、このとき内側のチューブ状の本体は患者のほうに向かって押し出し可能であり、その際に生体の身体部分へも容易に押し出すことができ、そのときに皮膚を貫通する。外側のチューブ状の本体も遠位で患者のほうに向かって、内側のチューブ状の本体を介してスライドさせることができ、その際にやはり生体の身体部分へ容易に押し出すことができ、そのときに皮膚を貫通し、それは特に穿刺ニードルが取り外されるとき、または引き戻されるときである。
【００３３】
本発明の好ましい発展例では、カテーテルホースは少なくとも静脈の外部で第１の被覆部によって取り囲まれ、該被覆部によってカテーテルホースが静脈の外部で滅菌されたまま保たれる。カテーテルホースが静脈へ差し込まれると、第１の被覆部は患者の皮膚接触の結果として引き戻され、それによりカテーテルホースが滅菌状態で静脈内に達する。このことは、利用者にとって追加のコストと結びついていない。第１の被覆部は、静脈へカテーテルホースが差し込まれるときに自動的に引き戻され、または押し縮められるからである。第１の被覆部は、たとえば袋状の外皮またはベローズの形態で構成されていてよい。
【００３４】
本発明によるカテーテルのさらに別の特殊性は、小内腔のカニューレを使用できるといいう点にある。このことは、穿刺ニードルによってつくられる皮膚開口部を、カニューレを押し出すときにさほど広げなくてすむという利点がある。特にこの場合、通常の医療上の意味における拡張は必要ない。したがって本発明によるカテーテルは、拡張カニューレなしでも具体化することができる。その代わりにカニューレは、穿刺ニードルによってつくられる内腔を保全する機能を有する。したがって、このカニューレを内腔保全カニューレと呼ぶこともできる。したがって本発明の好ましい発展例では、カニューレの外径は穿刺ニードルの外径の最大で２倍の大きさである。好ましい発展例では、カニューレの外径は穿刺ニードルの外径の最大１．５倍の大きさである。
【００３５】
このように他の公知の提案とは異なり、カテーテルホースよりも小さい直径を有し、それに伴って小さい穴しか皮膚に残さない穿刺ニードルが提案される。
【００３６】
公知のカテーテル解決法と比べて決定的な利点はこの点にもある。たとえば公知のシステムでは大きい直径を有するカニューレが使用され、これを通してカテーテルホースが静脈へ挿入される。カニューレは残したままにするか、または場合により分割して取り外すことができる。皮膚の穿刺穴は、このようなシステムではカテーテルホースよりも大きい直径を有しており、そのために通常、カテーテルホースの皮膚入口個所からの出血が起こる。しかも、挿入されるべきカテーテルホースの直径はカニューレの直径によって制限される。カニューレがすでにある程度の直径を有さざるを得ないので、カテーテルホースの直径も制限され、その結果、単位時間あたりに特別に多い液体量を静脈に注入することができない。さらに公知のシステムでの欠点は、穿刺のために使用される穿刺ニードルも同様に大きい直径を有しており、そのために穿刺が外傷を与えることにある。誤穿刺が甚大な損傷を帰結する可能性がある。そのような欠点が本発明によって克服される。
【００３７】
それに応じて穿刺ニードルからカニューレへの移行部に、わずかな口径飛躍しか存在しない。カニューレの挿入をいっそう簡易化するために、カニューレは患者近傍の端部のところで面取りされて構成されていてよい。
【００３８】
カテーテルホースに関しては、カニューレと比較して大きい口径飛躍が生じるが、このことは、多い量の液体を供給するのに必要となる所要の内径を具体化するためにも必要である。したがって本発明の好ましい発展例では、カテーテルホースの外径はカニューレの外径の少なくとも２倍の大きさである。それによって大きい流量が保証される。本発明の好ましい発展例では、カテーテルホースの外径はカニューレの外径の少なくとも３倍の大きさである。
【００３９】
それに応じて、カテーテルホースを静脈へ挿入するときに初めて拡張ステップが必要である。
【００４０】
本発明の好ましい発展例では、カテーテルは患者遠方の端部に吸引補助具または吸引補助具の接続部との吸引接続部を有している。たとえば従来型の注射器として構成されていてよい吸引補助具は、吸引接続部を介してたとえば穿刺ニードルと接続することができる。このケースでは穿刺ニードルを中空ニードルとして構成するのが好ましく、それにより、穿刺ニードルを通過するように液体を移送することができる。この吸引補助具またはさらに別の吸引補助具は、患者遠方の端部でカニューレと結合することもできる。このようにして、カニューレも患者遠方の端部のところで吸引補助具またはたとえばホースシステムなどの他のシステムと適合的であってよく、このことは、静脈の穿刺と動脈の穿刺との間の差別化のために非常に有益である。本発明の別の主要な利点をこの点に見出すことができる。利用者はたとえば注入ホースを接続して、血液がこの注入ホースへと拍動的に上昇しているか（動脈の穿刺）、そうでないかを目視で確認することができる。さらに、非拍動性の血液流を有する患者のときにも、たとえば移植された心臓補助システムのときにも、静脈の穿刺と動脈の穿刺とをいっそう容易に区別することができる。
【００４１】
本発明の好ましい発展例では、カテーテルホースは穿刺ニードルの先端と吸引接続部または吸引補助具との間に配置される。
【００４２】
本発明の好ましい発展例では、カテーテルホースは少なくとも１２ｃｍの長さを有しているが、あるいは多くの用途についてこれよりも長く構成されていてもよい。
【００４３】
本発明の好ましい発展例では、カテーテルホースはマルチルーメン式に構成される。このことは、作業ルーメン以外にもさらに１つまたは複数の内腔が提供され、これを介して別個にたとえば液体を移送することができ、あるいは心電図誘導を行うことができるという利点がある。たとえばカテーテルは作業ルーメンと、１つまたは複数の補助ルーメン、たとえば側方の静脈内の出口個所とを有するように構成されていてよい。本発明の好ましい発展例では、個々のルーメンは取り外し可能および／または補足可能である。それによってモジュール形式のルーメンシステムが創出され、このことは、たとえばカテーテルホースが患者内に長いあいだ留置される場合に感染の恐れを低減するために、事前に、またはすでに挿入されているカテーテルホースで、ルーメンを取り外し、かつ／または補足することを可能にする。
【００４４】
本発明の好ましい発展例では、カニューレはプラスチック材料、特に熱可塑性のプラスチック材料でできている。それによりカニューレが比較的柔軟に構成されていてよく、それにもかかわらず丈夫である。可能性のある損傷のリスクがそれによって最低限に抑えられる。カテーテルホースもプラスチック材料でできていてよい。穿刺ニードルは金属ニードルとして構成されていてよいのが好ましい。
【００４５】
本発明の好ましい発展例では、カニューレはカテーテルホースよりも長く、および／または穿刺ニードルはカニューレよりも長い。それに応じてカニューレは両方の側でカテーテルホースから突出することができ、穿刺ニードルは両方の側でカニューレから突出することができる。このことは、穿刺ニードルとカニューレのそれぞれカテーテルの患者遠方の端部からの長手方向スライドと取り外しを簡易化する。
【００４６】
本発明の好ましい発展例では、カテーテルは、カテーテルの患者遠方の端部に配置され、カテーテルの患者遠方の端部でカテーテルホースから突出するカニューレの領域を少なくとも取り囲む第２の被覆部を有しており、それにより、カニューレはこの領域で滅菌されたままに保たれる。第１の被覆部と第２の被覆部は別々の被覆部として構成されていてよい。このような２部分からなる保護被覆は、本発明によるカテーテルのさらに別の特殊性である。第２の被覆部は、たとえば袋状の外皮またはベローズの形態で構成されていてよい。
【００４７】
本発明の好ましい発展例では、カテーテルはその全体の外側表面および／もしくは内側表面またはこれらの部分領域に液体をはじく表面、たとえば一種のロータス効果の表面を有している。このようにしてカテーテルは、そのような領域で同時に血液をはじく特性を有する。このことは、血液または滴る血液または分泌物で内腔が詰まることがあり得なくなるという利点がある。さらに、カテーテルが衛生面や感染症学の観点から改良される。さらに、カテーテルが使用時にいっそう快適かつ美的になる。外部からも血液の堆積や汚れが発生しなくなるからである。したがって表面が低い湿潤性を有しており、水や血液滴などの液体が滴下して、その際に表面の汚れ粒子も取り去る。
【００４８】
このようにして、テレスコピック状で層状の特性を有する新規のカテーテルが提供される。このカテーテルは少なくとも３層からなる構造に基づき、穿刺プロセス中にそれ自体として安定している。内側から外側に向かって増えていく各層の直径に基づき、穿刺通路の増していく伸長がさほど大きな口径飛躍なしに行われる。このとき穿刺ニードルは、誤穿刺の際に組織や血管にできる限り少ししか外傷を与えないために、セルディンガー技術の場合に類似して薄く構成されていてよい。カテーテルの患者遠方の端部には、カテーテルホースの後方に、血液吸引と静脈内の位置の検証をするための注射器を配置することができる。血液吸引の直後に、カニューレが穿刺ニードルを介して定義された区間だけ静脈内に挿入される。それにより、静脈から穿刺システムが外れて転位する危険が低減される。その後、カテーテルホースがカニューレを介して体内へ押し出される。引き戻し可能な第１の被覆部が、その際にカテーテルホースを滅菌されたままに保つ。カテーテルホースは患者近傍の端部に、たとえば熱可塑性の材料からなる拡張本体を有している。このように、別個のダイレータを省略することができる。したがってセルディンガーワイヤとは異なり、明らかに少ない作業ステップしか必要ない。それにより、損傷や感染の危険性が患者や利用者にとって最低限に抑えられる。セルディンガーワイヤによって惹起される合併症が生じることがあり得なくなる。カテーテルホースの位置を心電図誘導によって連続して監視することができる。少ないコストでの容易な取扱性によって、たとえばプレホスピタルの救急医療などの新たな利用分野が開拓される。
【００４９】
さらに第１および／または第２の被覆部により、関連する衛生の側面を全面的な範囲で満たすことができる一種の「閉鎖システム」を創出することができる。
【００５０】
本発明は、たとえば次のような構成部品を有する穿刺セットとして提供することができる（長さの表示は一例にすぎず、実際には変更可能である）。
【００５１】
１）ニードル先端の上に防護キャップを有する長さ２５ｃｍの穿刺ニードル２０Ｇ
２）たとえば患者遠方の固定フラッグを有する、穿刺ニードルの上のプラスチックカニューレの形態の長さ２３．５ｃｍのカニューレ（穿刺ニードルとカニューレはカテーテルホースの作業ルーメンの中にある）
３）拡張する性質を有する（熱可塑性）長さ１７ｃｍのカテーテルホース、３ルーメン式、そのうち短いほうの作業ルーメン１４〜１６Ｇおよびそれぞれ１２Ｇの２つのルーメンは側方の静脈内の出口個所と、患者遠方の延長部（「内腔」）と、予備組付けされた３方コックとを有する。追加的に縫付け固定用のクランプとフラップ
４）作業ルーメンを閉止するためのキャップ。穿刺終了後の追加の注入ルーメンとして作業ルーメンを利用する場合のためのカニューレ、追加の３方コックを含む
５）血液吸引のための１０ｍｌ注射器（５ｍｌの生理食塩水／蒸留水で予備充填）
６）穿刺後に内腔を洗浄するための２つの注射器（それぞれ１０ｍｌの生理食塩水／蒸留水で予備充填）
７）カテーテルホース外装のための引き戻し可能な滅菌された外皮
８）縫合セットと外科用メス
要約すると、本発明によって次のような新たな利点がもたらされる。
【００５２】
−血液吸引の直後にカニューレを静脈へ挿入することができる。このことは、血管から再び「抜け落ちる」危険性を低減する。穿刺ニードルをただちに取り外すことができ、身体に穿刺ニードルを残したままさらに動かす必要がない。このことは、患者や利用者にとっての損傷の危険を最低限に抑える。カニューレの挿入も穿刺そのものと同等にさほど外傷を与えず、動脈の誤穿刺のケースでは合併症リスクを想定可能である。
【００５３】
−引き戻し可能な被覆部がカテーテルホースを滅菌されたままに保ち、上で説明したように滅菌された周辺区域は必要ない。所要スペースが最小限であり、穿刺者とセットそのものの合算から生じるにすぎない。
【００５４】
−滅菌された材料と周囲との偶発的な接触の危険は、穿刺システムの各コンポーネントすなわち本発明によるカテーテルが統合されていることによって最低限に抑えられる。このことは、患者と利用者にとっての感染の危険性を低減する。
【００５５】
−偶発的に身体内に残されたり、その他の合併症を引き起こしたりする可能性があるセルディンガーワイヤやその他のコンポーネントが必要ない。
【００５６】
−カテーテルホースを押し出すときに恒常的な位置コントロールを行うことができ、心電図信号を希望に応じてカテーテルホースの先端を介して直接的に誘導することができる。さらに、カテーテルホースの静脈位置を、これを通じての血液吸引によっていつの時点でも変更することができる（「恒常的なルーメンコントロール」）。
【００５７】
−旧来のセルディンガー技術の数多くのステップが必要なくなり（連結解除、挿通など）、アシスタント人員が必要ない。
【００５８】
−Ｂｒａｕｎｕｅｌｅ（登録商標）は利用者の間ですでに十分な信頼を得ている。このことは、特に経験のある利用者にとって、本発明によるカテーテルを用いた新規の穿刺技術を学ぶ際に助けとなり得る。
【００５９】
−このシステムは、穿刺にあたって長い穿刺ニードルにもかかわらず十分に安定的であり、層状の特性に基づいてそれ自体安定化する。
【００６０】
−ダイレータがカテーテルホースに統合されており、熱可塑性の特性を有している。カテーテルホースの先端は、既存の穿刺穴を利用するだけでよいので、比較的軟質に構成されていてよい。穿刺穴の中にあるのは、カテーテルホースを押し出す時点ではカニューレだけである。拡張本体によって初めて、皮膚通路の真の「穏やかな拡張」が行われる。このような「穏やかな拡張」は、ランプ状に拡大していく拡張本体によって促進できるという利点があり、その直径も「穏やかに」、すなわち低い勾配で増加していくにすぎない。
【００６１】
−カテーテルホースの先端は軟質の、かつそれに伴って組織保全的な材料でできていてよい。皮膚通路や静脈壁の拡張が、後続する拡張本体によって初めて行われるからである。この拡張本体は軟質の先端部に追随するだけなので、組織または静脈の中での拡張本体の位置で、これによる非常にわずかな損傷の危険しか生じることがない。損傷の危険は、すぐ上で説明した拡張本体の熱可塑性の特性によっていっそう低減される。拡張本体は低い「上昇勾配」を有することができ、それに伴って非常に「穏やかな」拡張を可能にする。
【００６２】
−この技術はプレホスピタルの分野で適用することができる。
【００６３】
−開発の初期におけるコストの上昇は、別の個所での節減によって補うことができる（少ない時間コスト、滅菌された材料が手順中に抜け落ちて代替が必要となる危険の最小化など）。
【００６４】
この新規の穿刺システムにより、どのような大きさの静脈の穿刺も可能である。それは、カテーテルホースの先端の中心静脈の位置が必ずしも第１に必要とされるのでない場合にも当てはまるが、そのような位置をも問題なく実現することができる。滅菌された周辺区域の設備の必要性なしに、高いフローレートを有するマルチルーメン式のシステムの設備が可能であることに基づき、たとえば次のような利用可能性がもたらされる：
−外傷ケアに重点をおくプレホスピタルの救急医療
−病院内の救急医療
−集中治療
−たとえば集中治療ステーションでの透析
−重大な容積損失を伴う大規模な外科的介入に重点をおく麻酔学
−戦争地域、危機的地域、災害地域における医療
−空間的に狭い状況での医療（航空機、地上走行する安全・救急車両、船舶など）
この新規の穿刺システムは、テレスコピック状で層状の特性を有している。１つの穿刺システムでただちに相前後して、一種のカテーテル・オーバー・ニードル技術の２回の実施が行われる。それによって全面的に新規の穿刺技術がもたらされる。穿刺通路はさしあたり小さく、それにより、誤穿刺に基づく合併症のリスクを見通すことが可能である。この利点は、これまでセルディンガー技術では留保されてきた。この技術は、さまざまな中間ステップを通じて小さい穿刺通路によりこれを拡張させることで、大きなカテーテルホースを挿入することを可能にするだけだからである。
【００６５】
この新規の穿刺システムでは、カテーテルホースはたとえば穿刺ニードルの先端と血液吸引のための注射器との間にある。カテーテルホースの先端の近位数ミリメートルのところでこれに固定的な部分が埋設されていてよく、その長さは同様にわずか数ミリメートルである。このカテーテルホースは拡張する特性を有しており、そのようにして、セルディンガー技術で使用されるダイレータの代替となる。静脈壁の損傷は非常に可能性が低く、それは、固定的な部分そのものが鋭利な特性を有しておらず、カテーテルホースの比較的軟質の先端が追随するだけだからである。しかも、拡張する部分は熱可塑性の特性を有することができ、それにより身体内でいっそう軟質になり、周囲にある構造体を甚大に刺激することがなくなる。
【００６６】
静脈穿刺が行われた後でまずカニューレが数センチメートルだけ静脈に挿入され、穿刺ニードルをただちに引き戻すか、または取り外すことができることによって、カテーテルホースの挿入の静脈内の位置を効果的に固定することができる。カテーテルホースが挿入されるとき、中に位置する鋭利な穿刺ニードルによる損傷の危険がなくなる。それによって患者安全性が改善される。利用者にとっての怪我の危険も同様に最低限に抑えられる。すべてのコンポーネントが１つの穿刺システムに統合されており、少ない作業ステップしか必要ないからである。それにより、患者や利用者にとっての感染の危険も低減する。引き戻し可能な被覆部がカテーテルホースを滅菌されたままに保ち、旧来のセルディンガー技術におけるような滅菌された周辺区域は必要ない。このことは、たとえばプレホスピタルの分野など、あらゆる種類の適用を促進する。
【００６７】
たとえば非常に大きい程度に挿入されたセルディンガーワイヤによる心臓の損傷の危険も同じくなくなる。さらに、心臓リズム障害の可能性も非常に低い。静脈内の位置を固定し、後続するカテーテルホースに静脈内への経路を開くための程度までしか、カニューレが静脈内にないからである。セルディンガー技術とは異なり、カテーテルホースはワイヤを介して心臓の手前まで直接案内されるのではない。このことは、カテーテルホースがカニューレにより案内されて確実に静脈内に位置し、「正しい方向」（心臓に向かって）をとっているのであれば必要ないと思われる。その場合、カテーテルホースを確実に心臓の方向に押し出すことができる。留意しなければならないのは、セルディンガー技術では誤位置が頻繁に生じ、その場合、誤った経路がワイヤによって非常に徹底して辿られることである。本発明ではすでにカテーテルホースを押し出すとき、連続する心電図誘導を位置コントロールのために行うことができる。セルディンガー技術でのセルディンガーワイヤの挿入時に生じるその位置不確定性は、このようにして生じることがなくなる。
【００６８】
本発明は、カニューレの挿入後に、拡張する部分を含めたカテーテルホースを挿入する以前から、静脈位置をあらためてコントロールすることを可能にする。それにより、拡張が行われる前に、システムの動脈の誤穿刺／血管外の位置をあらためて認識することができる。合併症のリスクがそれによってさらに低減される。最初に挿入されたカニューレが誤位置を有していても、それはまだ大きいルーメンを有していないので、リスクを見通すことが可能である。動脈の誤穿刺を、場合によっては吸引なしでも気づくことができる。穿刺ニードルを取り外した後、通常の場合には明るい色の血液がカニューレから拍動しながら出て、または、長いカテーテルにもかかわらずスムーズに流れ出るからである。カニューレは、近位のフラッグにより体内に侵入することが構造上妨げられるので、偶発的に体内に残ることがあり得ない。
【００６９】
旧来のセルディンガー技術の数多くのステップが必要なくなる。連結解除ステップおよび再連結ステップ／挿通ステップを省略することができる。このことは本方法の複雑性を低減し、さらには人員コストと材料コストを節減することができる。
【００７０】
要約すると、この新規の穿刺システムによって、大きいカテーテルホースを当初は小さい穿刺通路を介して直接かつ確実に心臓近傍の静脈へ挿入することができる。患者や利用者にとっての損傷や感染の危険が最低限に抑えられ、中に位置するセルディンガーワイヤによる危険がなくなる。カテーテルホースの位置を連続して監視することができる。この新規の穿刺システムは簡単な取扱を可能にし、コストを削減することができる。
【００７１】
本発明は次の各構成要件によって好ましく発展させることができる。
【００７２】
−単純な心電図信号だけを検出する胸郭の上のモニタを通じての、簡略化された形態でのカテーテルホースの患者近傍の端部の位置コントロールのための心電図誘導。この方法はプレホスピタルや病院内の救急医療上のセッティングも含めてどこででも適用可能である。
【００７３】
−中心静脈カテーテルの設置期間が長い場合の感染の危険を低減するための取り外し可能なルーメン／モジュール形式の／補足可能なシステム。
【００７４】
−カテーテルホースの患者近傍の端部の位置を自動的に表示する半自動式のシステム。
【００７５】
−心電図誘導のための導電性の特性を有する、金属蒸着された導電性の先端および／またはカテーテルホース。
【００７６】
−初心者／非熟練者用も含めて、簡略化された操作性のための中心静脈カテーテル（多色の中心静脈カテーテル）およびセット包装（１−２−３、赤−黄−緑）における信号灯システム。
【００７７】
−カテーテルホースの患者近傍の端部での血流を自動的に評価するためのシステム（「完全自動機械」）。
【００７８】
−電流強さ測定によってカテーテルホースの患者近傍の端部の位置決定をするためのシステム。中心静脈カテーテルが初期に「深すぎる」挿入をされることがなくなる。
【００７９】
−標準ステーション用も含めて、カテーテルホースの患者近傍の端部を連続的または間欠的に位置コントロールするためのシステム。
【００８０】
−神経外科介入の枠内において座った位置で動脈と静脈の位置および静脈の空気塞栓を検知するための統合されたドップラーシステム、別の遠位の穴ないし別の追加の穴を介しての空気の自動的な吸出しを含む。
【００８１】
−内側に位置するカニューレが取り外された後に自動で閉止するルーメン。それにより、他のルーメンを通るいっそう高いフローレートが可能となる。
【００８２】
−患者遠方の部分のところで硬質でない穿刺ニードル。それにより、穿刺ニードルが静脈へ過大な程度に挿入されることがあり得ない。
【００８３】
−硬質プラスチックからなる穿刺ニードル。穿刺ニードルを押し出すときに軟質になる（または固定フラッグが引き戻されたときも。この場合、穿刺ニードルとカニューレとの間の結合が成立する）。
【００８４】
−コネクタを介して先端と結合された穿刺ニードル。カテーテルホースはループ状に巻き付けられる。
【００８５】
−中心静脈カテーテルの固定がステープルを有する専用の「クリック・メカニズム」を通じて皮膚で行われ、縫合が必要なくなる。
【００８６】
−患者近傍の（第１の）被覆部の潤滑剤。それにより、カテーテルホースをいっそう容易に皮膚および静脈へ通すことができる。
【００８７】
次に、図面を利用しながら実施例を参照して本発明を詳しく説明する。
【図面の簡単な説明】
【００８８】
【図１】第１の実施形態における中心静脈カテーテルである。
【図２】図１のカテーテルの患者近傍の端部を示す拡大した詳細図である。
【図３】中心静脈カテーテルの第２の実施形態である。
【発明を実施するための形態】
【００８９】
図面においては、互いに対応する部材については同じ符号が使われる。
【００９０】
図１は、本発明によるカテーテル１の基本的な構造を示している。納品状態ではすべてのルーメンが滅菌された食塩水および／または蒸留水ですでに予備充填されており、それによりカテーテル１を排気せずにそのまま使用できるものと想定する。カテーテル１は、または穿刺システムを形成するその他すべての構成要素も、図示した形態で滅菌されて包装して納品され、包装の開封後にただちに他の準備作業なしに利用可能である。滅菌条件のもとでの開封は必要ない。
【００９１】
カテーテル１は患者近傍の端部１０を有していて、ここでカテーテル１の一部分が患者の静脈に挿入される。さらにカテーテル１は、図に見える通り、患者近傍の端部１０と反対を向いているカテーテル１の端部領域に配置された患者遠方の端部１１を有している。患者遠方の端部１１では、利用者によってカテーテル１の操作が行われる。
【００９２】
カテーテル１は、カテーテルホース２と、作業ルーメン３と、カニューレ４と、穿刺ニードル５とを有している。カテーテルホース２の作業ルーメン３の内部で、カニューレ４がカテーテルホース２または作業ルーメン３へ長手方向に挿通されている。カニューレ４の内部で、穿刺ニードル５がカニューレ４へ長手方向に挿通されている。患者近傍の端部１０では、穿刺ニードル５が穿刺区域５０をもってカテーテル１から突出している。ここで図１では、カニューレ４がすでにカテーテルホース２から引き出されているが、このことは当初は、すなわちカテーテル１の納品状態では当てはまるケースではない。このようなケースは、後でまた詳しく説明するように、患者にカテーテル１を適用する過程で初めて生じるものである。当初は、穿刺ニードル５の穿刺区域５０だけが患者近傍の端部１０でカテーテル１から突出している。穿刺区域５０は当初は、すなわち納品状態では、たとえば注射器カニューレで使用されるような防護キャップによって、非滅菌の要因から保護されている。
【００９３】
カテーテル１は比較的長く構成されており、図１ではカテーテル１は中央の領域で短縮して図示されており、このことをマーキング２０によって記号で示すことにする。実際には、カテーテル１はこれよりも明らかに長いプロポーションを有することができる。
【００９４】
カテーテル１はマルチルーメン式に構成されており、作業ルーメン３の他に、第１のカテーテルアタッチメント６３を備える第１の補助ルーメン６１、および第２のカテーテルアタッチメント６６を備える第２の補助ルーメン６４を有している。作業ルーメン３および補助ルーメン６１，６４は、患者に取り付けるためのカテーテルの固定翼部としても利用することができる結合区域６を介して合流して、カテーテルホース２と連結されている。補助ルーメン６１，６４は、公知の中心静脈カテーテルの場合と同じく従来式に構成されており、たとえばそれぞれホース６１，６４、ホース６１，６４を結紮するためのホースクランプ６２，６５、およびカテーテルアタッチメントとも呼ぶ接続体の形態で構成され、この接続体を介してそれぞれ注射器またはホースを補助ルーメン６１，６４のうちの１つに接続することができる。たとえば第２の補助ルーメン６４に、カテーテルホースを介しての離散的な連続する心電図誘導のための電気接続回線６０が存在していてよい。
【００９５】
カテーテルホース２は、図１にやはり認められる通り、カニューレ４に比べて比較的大きい口径飛躍を有している。したがって、静脈へカテーテルホース２を挿入するために拡張ステップが必要である。この目的のために、カテーテル２の患者近傍の端部１０には、カテーテルホース２の端部の面取りされた形態で構成されていてよい拡張本体２１がある。
【００９６】
カテーテルホース２は、これを静脈への挿入前に滅菌されたまま保つために、袋状の外皮の形態の第１の被覆部２２によって包囲されている。この被覆部は患者近傍の端部１０から結合区域６まで延びている。患者近傍の端部１０には、第１の被覆部２２がカテーテルホース２の上でスライド可能なように配置されており、患者の静脈へカテーテルホース２を押し出すときに皮膚接触によって自動的に引き戻される。
【００９７】
患者遠方の端部１１には、作業ルーメン３にホースクランプ３１が配置されており、これを介して作業ルーメン３を、少なくともカニューレ４と穿刺ニードル５がこれから取り外された後で結紮可能である。
【００９８】
作業ルーメン３は患者遠方の端部１１で、終端片３０をもって終わっている。この終端片は、カニューレ４が希望されないほど大きく押し出され得ないことを保証するために、カニューレ４の押し出しのためのストッパとしての役目を果たす。カニューレ４は患者遠方の端部１１で、終端片４０をもって終わっており、この終端片に固定フラッグ４１が配置されている。固定フラッグ４１は、中央の層すなわちカニューレ４が過度に大きく静脈へ押し出され得ないようにするための役目を果たす。それにより、カニューレ４が過失により体内に残ったり、または、カテーテルホース２から大きく突出しすぎてカテーテルホース２が心臓の方向へ押し出されたときに心臓を刺激したりするのを回避することが意図される。これに加えて固定フラッグ４１は、カニューレ４を押し出したり引き出したりするときに手で握るために利用することができ、したがって、同時にカニューレ４の操作手段としても機能する。カニューレ４は前方に向かって患者近傍の端部１０の方向へ、終端片４０が終端片３０に当接するまで押し出すことができる。
【００９９】
カテーテル１は、カニューレ４の露出している領域を患者遠方の端部１１で取り囲んでこれを滅菌されたままに保つ、袋状の外皮の形態の第２の被覆部３２を有している。このように本発明による穿刺システムは、２部分に分かれる滅菌された被覆部を有するように構成されていてよく、すなわち、穿刺システムで患者に向かって遠位にある第１の被覆部２２と、これに追加して、これよりも患者から遠くで近位にある第２の被覆部３２とであり、そこでは穿刺前に内側のチューブ状の本体４が外側のチューブ状の本体２から突出する。このとき特に被覆部の患者近傍の部分は、すなわち第１の被覆部２２は、滅菌された潤滑ジェルを有することができ、外側のチューブ状の本体が生体の身体部分内へ、特に皮膚を通して押し出されるときの摩擦がこれによって最低限に抑えられる。
【０１００】
穿刺ニードル５は患者遠方の端部１１でカニューレ４から外に出ており、たとえば注射器７を接続するための接続本体５１を有している。注射器７または接続本体５１は、同時に、静脈へのカニューレ４の挿入が行われた後に、穿刺ニードル５を引き出すための操作手段として利用することができる。注射器７によって血液吸引を実行することができる。
【０１０１】
図１のカテーテル１を患者に適用するとき、次のように手順を進めることができるのが好ましい。
【０１０２】
１）穿刺ニードルによって静脈を穿刺する。
【０１０３】
２）静脈血を吸引するときはカニューレを静脈の中へ押し出す。このとき固定フラッグの押し出しが、それ以上は押し出すことができなくなるまで、すなわち作業ルーメンに到達するまで行われる（ここでは意図的にその中へは嵌らない）。
【０１０４】
３）穿刺ニードルを取り外す。
【０１０５】
４）カニューレをただちに閉止し、または注射器によって正しい静脈内の位置をあらためて点検する。
【０１０６】
５）カニューレを通じてカテーテルホースを静脈内へ押し出す。
【０１０７】
６）カニューレを取り外す。
【０１０８】
７）場合によりカテーテルホースを皮膚に固定する。
【０１０９】
図２は、カテーテル１の患者近傍の端部１０の詳細を拡大した断面図として示している。カテーテルホース２の内部に、またはその作業ルーメン３の内部に、カニューレ４が配置されるとともに、カニューレ４の内部に穿刺ニードル５が配置された少なくとも３層からなる構造を認めることができる。穿刺ニードル５は長軸Ｌの方向へスライド可能であり、すなわち長手方向スライド可能である。カニューレ４も同じく長軸Ｌの方向へスライド可能であり、すなわち長手方向スライド可能である。作業ルーメン３は、ここではカテーテルホース２と固定的に結合されていてよい。カニューレ４はその患者近傍の端部４２のところで、静脈への挿入を容易にするために、たとえば面取りされて構成されていてよい。穿刺ニードル５は、注射器カニューレの場合に類似して、端部に先端５２を有している。
【０１１０】
図３は、図１の実施形態と比較して保持手段６７が補足されたカテーテル１の実施形態を示しており、この保持手段に、結合区域６から出ていく３つの内腔すなわち作業ルーメン３および補助ルーメン６１，６４ならびにこれらと結合された部品が、全面的または部分的に固定されていてよい。このようにして取扱が簡易化される。これらの内腔がルーズに動くことがあり得なくなり、事前定義された位置にとどまるからである。保持手段６７は、たとえば保持プレートの形態で、たとえば三角形またはこれに類似する形状で構成されていてよい。
【０１１１】
補足としてカテーテル１の患者近傍の端部１０には、穿刺の際にもう一方の手でカテーテル１の患者近傍の端部１０を保持して制御し、またはいっそう安定化させることを利用者に可能にする保持体が配置されていてよい。この保持体はカテーテルホース２に対してスライド可能なようにカテーテル１に取り付けられていてよく、そのようにして、体内へのカテーテルホース２の挿入時にその固定された位置で保持することができる。これに加えて保持体は、市販されている末梢静脈留置カニューレに類似して、たとえば継ぎ目を介してカテーテル１を追加的に固定することができる翼部を含むことができる。あるいは保持体は挿入プロセスの最後に取り外すこともでき、すなわちカテーテル１に取り外し可能に取り付けられていてよい。
【図１】
2018528040.tif 000003
【図２】
2018528040.tif 000004
【図３】
2018528040.tif 000005
【国際調査報告】
2018528040.tif 000006
2018528040.tif 000007
2018528040.tif 000008
2018528040.tif 000009
2018528040.tif 000010
2018528040.tif 000011